【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
取引参加者から入力装置及び注文受付部で受け付け記憶装置に記憶した参加者名，売買注文電力量，単位電力量あたりの売買注文価格および入札エリアからなる売買注文とエリア間を結ぶ連系線の潮流上下限値，エリアと連系線との接続関係，約定量がとりうる数値である約定可能電力量，約定価格がとりうる数値である約定可能価格，約定可能電力量の刻み幅，約定可能価格の刻み幅を用いて売り注文と買い注文を約定させる電力取引の約定方法において、エリア間の送電線の電力潮流は潮流上下限値以内、エリア内の約定する売り注文総量と該エリアの連系線からの流入量の和と該エリア内の約定する買い注文総量と該エリアの連系線からの流出量の和とが一致する需給バランス，約定する各売り注文の約定量はその売り注文の注文量以下および約定する各買い注文の約定量はその買い注文の注文量以下、という制約条件のもとで、約定したとき買い注文者が支払う上限金額から約定したとき売り注文者が受け取る下限金額を差し引いた社会利益に約定可能電力量の刻み幅と約定可能価格の刻み幅の積である１単位社会利益の上下限範囲未満となり、少なくとも約定量を変数に含む関数を加算した目的関数に基づいて、約定する買い注文電力量および約定する売り注文電力量および各連系線の潮流値および約定価格のうち少なくとも１つを約定処理装置で計算することを特徴とする取引所システムの約定処理方法。
【請求項２】
請求項１の電力取引の約定処理方法において、同一価格，同一エリアの１つ以上の売り注文を１つの売り注文に集約した売り注文を使用し、同一価格，同一エリアの１つ以上の買い注文を１つの買い注文に集約した買い注文を使用することを特徴とする電力取引の約定処理方法。
【請求項３】
請求項２の電力取引の約定処理方法において、同一価格の売り注文と買い注文を約定させて約定量を最大化させるために各売り注文の価格を補正した売り注文価格または各買い注文の価格を補正した買い注文価格を使用することを特徴とする電力取引の約定処理方法。
【請求項４】
請求項３の電力取引の約定処理方法において、ゼロ以上のΔｓｊとゼロ以上のΔｂｋの２つの和の最大値が約定可能価格の刻み幅未満となるΔｓｊとΔｂｋを用いて、各売り注文ｊの価格をΔｓｊ減少させた売り注文価格、または各買い注文ｋの価格をΔｂｋ増加させた買い注文価格を使用することを特徴とする電力取引の約定処理方法。
【請求項５】
請求項４の電力取引の約定処理方法において、同一価格の売り注文毎のΔｓｊを相違させた売り注文価格，同一価格の買い注文毎のΔｂｋを相違させた買い注文価格を使用することを特徴とする電力取引の約定処理方法。
【請求項６】
請求項１から請求項５において、各売り注文の約定量を該売り注文の注文量で割った約定率と該売り注文価格の約定量の総和を該売り注文価格の注文量の総和で割った約定率の差の絶対値を該売り注文の注文数より大きい値で割った関数を加算した目的関数とすること、または各買い注文の約定量を該買い注文の注文量で割った約定率と該買い注文価格の約定量の総和を該買い注文価格の注文量の総和で割った約定率の差の絶対値を該買い注文の注文数より大きい値で割った関数を加算した目的関数とすること、または各売り注文の約定量を該売り注文の注文量で割った約定率と該売り注文価格の約定量の総和を該売り注文価格の注文量の総和で割った約定率の差の絶対値と各買い注文の約定量を該買い注文の注文量で割った約定率と該買い注文価格の約定量の総和を該買い注文価格の注文量の総和で割った約定率の差の絶対値の和を該売り注文の注文数と該買い注文の注文数の和より大きい値で割った関数を加算した目的関数とすることを特徴とする電力取引の約定処理方法。
【請求項７】
請求項１および請求項２において、前記電力取引の約定処理方法の追加する約定量を含む線形関数において同一価格の売り注文の約定量の係数を相違させた係数，同一価格の買い注文の約定量の係数を相違させた係数を用いることを特徴とする取引所システムの約定処理方法。
【請求項８】
請求項１から請求項７において、任意のエリアに対して該エリアに接続している全連系線から任意の１つの連系線を除いた連系線を対象として、該連系線の潮流上限値の増加量の総量がゼロ以上で約定可能電力量の刻み幅未満となるように各連系線の潮流上限値を増加させた補正潮流上限値と任意のエリアに対して該エリアに接続している全連系線から任意の１つの連系線を除いた連系線を対象として、該連系線の潮流下限値の減少量の総量がゼロ以上で約定可能電力量の刻み幅未満となるように各連系線の潮流下限値を減少させた補正潮流下限値を用いて、売り注文と買い注文を約定処理することにより、連系線潮流を計算して連系線潮流が補正前の潮流上下限範囲の更に約定可能電力量の刻み幅内側とならない連系線または連系線潮流が補正前の潮流上下限以内とならない連系線を市場分断する連系線候補と判定し、該連系線で区切られたエリアを分断市場候補と判定することを特徴とする電力取引の約定処理方法。
【請求項９】
請求項８において、各分断市場候補内の約定しなかった中で最も安い売り注文である最良売り注文価格および約定しなかった中で最も高い買い注文である最良買い注文価格と約定した最高売り注文価格および約定した最低買い注文価格と分断市場間の潮流方向をもとに、流出する分断市場の最良売り注文価格が流入する分断市場の最良買い注文価格以下あるいは流出する分断市場の最良売り注文価格が流入する分断市場の約定最高売り注文価格以下あるいは流出する分断市場の約定最低買い注文価格が流入する分断市場の最良買い注文価格以下となる場合は隣接する２つの分断市場は分断市場であり、そうでない場合は隣接する２つの分断市場を１つの分断市場に統合することを特徴とする電力取引の約定処理方法。
【請求項１０】
請求項１から請求項９において、全ての約定可能範囲の価格に売り注文および買い注文が存在するように、総和が約定可能電力量の刻み未満となる注文量を各エリアの各価格の注文に追加して、約定可能電力量の刻みを全売り注文数で割った値より小さい値を各売り注文の注文量から引いた値を該売り注文の注文量とする、または各エリアに総和が約定可能電力量の刻み幅未満となる注文量の成行買い注文または成行売り注文を追加し、売り注文と買い注文を約定処理することにより、各エリアで約定した売り注文の最高価格または約定した買い注文の最低価格を該エリアの約定価格とすることを特徴とする電力取引の約定処理方法。
【請求項１１】
請求項１から請求項１０の取引所システムの約定処理方法において、分断市場から流出方向の混雑の各連系線から該方向の潮流上限値の成行買い注文，該分断市場から流入方向の混雑の各連系線から該方向の潮流上限値の成行売り注文を分断市場への売買注文に追加して、該分断市場の社会利益を最大化するなかで約定量を最大化させる単一市場板寄せ約定処理をすることにより、該分断市場の約定価格，売り注文の約定総量，買い注文の約定総量と各価格の売り注文の約定総量，買い注文の約定総量を計算し、該分断市場に含まれる全エリアの約定価格を該分断市場の約定価格とすることを特徴とする電力取引の約定処理方法。
【請求項１２】
請求項１１において、前記約定処理方法の単一市場板寄せ約定処理が、分断市場の各価格での売り注文と買い注文のそれぞれの約定可能総量を計算し、各価格での売り注文約定可能総量と買い注文約定可能総量の小さい値を約定量として、この約定量が最大となる約定価格の範囲を計算し、該分断市場の約定価格を該約定価格範囲から決定し、該約定価格における約定量を該分断市場の約定総量とすることを特徴とする電力取引の約定処理方法。
【請求項１３】
請求項１１において、分断市場内のエリア毎の売り約定総量を計算し、該売り約定総量が約定可能電力量ではないエリアがある場合、該売り約定総量が約定可能電力量ではないエリアの約定総量の端数を切り捨てて約定可能電力量に修正し、この修正後の約定総量が該分断市場の売り約定総量と一致するまで、切り捨てた量の多いエリアの順に売り約定総量の約定量を約定可能電力量の刻み幅だけ加算して、エリアの売り約定総量を決定し、分断市場内のエリア毎の買い約定総量を計算し、該買い約定総量が約定可能電力量ではないエリアがある場合、該買い約定総量が約定可能電力量ではないエリアの約定総量の端数を切り捨てて約定可能電力量に修正し、この修正後の約定総量が該分断市場の買い約定総量と一致するまで、切り捨てた量の多いエリアの順に買い約定総量の約定量を約定可能電力量の刻み幅だけ加算して、エリアの買い約定総量を決定することにより各エリアの価格毎の売り約定総量と各エリアの価格毎の買い約定総量を計算し、各エリアの売り約定総量と買い約定総量から連系線の潮流を計算することを特徴とする電力取引の約定処理方法。
【請求項１４】
請求項１３において、エリア内の売り注文の約定量が約定可能電力量ではない売り注文がある場合、該売り注文の約定価格の約定総量が約定可能電力量ではない売り注文の約定量の端数を切り捨てて約定可能電力量に修正し、この修正後の約定総量が該価格の売り約定総量と一致するまで、切り捨てた量の多い注文の順に売り約定量を約定可能電力量の刻み幅だけ加算して、該価格の各売り注文の約定量を決定し、エリア内の買い注文の約定量が約定可能電力量ではない買い注文がある場合、該買い注文の約定価格の約定総量が約定可能電力量ではない買い注文の約定量の端数を切り捨てて約定可能電力量に修正し、この修正後の約定総量が該価格の買い約定総量と一致するまで、切り捨てた量の多い注文の順に買い約定量を約定可能電力量の刻み幅だけ加算して、該価格の各買い注文の約定量を決定することを特徴とする電力取引の約定処理方法。
【請求項１５】
請求項１４において、集約した売買注文に対して、約定した集約注文の約定量がゼロのときは元の個別の売買注文の約定量をゼロとし、約定した集約注文の約定量が集約した注文の注文量と同一のときは元の個別の売買注文の約定量を注文量とし、約定した集約注文の約定量がゼロより多く、注文量より少ないとき、個別の売買注文量に比例して約定量を各注文に割り当て、割り当てた約定量が約定可能電力量ではない注文の約定量の端数を切り捨てて約定可能電力量に修正し、この修正後の約定総量が集約注文の約定量と一致するまで、切り捨てた量の多い注文の順に約定量を約定可能電力量の刻み幅だけ加算して、各売買注文の約定量を決定することを特徴とする電力取引の約定処理方法。
【請求項１６】
請求項１から請求項１５において、エリアに接続する全連系線の潮流流出限度値分の成行売り注文を追加して該エリアの注文のみで単一市場板寄せ約定処理をしたときの約定した売り注文の最高値未満の価格を約定価格下限に設定し、エリアに接続する全連系線の潮流流入限度値分の成行買い注文を追加して該エリアの注文のみで単一市場板寄せ約定処理をしたときの約定した買い注文の最安値より高い価格を約定価格上限に設定し、該エリアの約定価格上限以上の売り注文を約定価格上限の１つの注文に集約した売り注文と該エリアの約定価格上限以上の買い注文を定約定価格上限の１つの注文に集約した買い注文と該エリアの約定価格下限以下の買い注文を定約定価格下限の１つの注文に集約した買い注文と該エリアの約定価格下限以下の売り注文を約定価格下限の１つの注文に集約した売り注文を用いることを特徴とする取引所システムの約定処理方法。
【請求項１７】
取引参加者から参加者名，売買注文電力量，単位電力量あたりの売買注文価格および入札エリアからなる売買注文を受け付ける注文受付部と中立機関からエリア間を結ぶ各連系線の潮流上下限値を受け付ける潮流上下限値受付部とエリアと連系線の関係を設定する接続関係設定部と約定量がとりうる数値である約定可能電力量，約定価格がとりうる数値である約定可能価格，約定可能電力量の刻み幅，約定可能価格の刻み幅を設定する約定定数設定部からなる取引所システムの約定処理装置において、エリア間の送電線の電力潮流は潮流上下限値以内，エリア内の約定する売り注文総量と該エリアの連系線からの流入量の和と該エリア内の約定する買い注文総量と該エリアの連系線からの流出量の和とが一致という需給バランス，約定する各売り注文の約定量はその売り注文の注文量以下および約定する各買い注文の約定量はその買い注文の注文量以下、という制約条件のもとで、約定したとき買い注文者が支払う上限金額から約定したとき売り注文者が受け取る下限金額を差し引いた社会利益に約定可能電力量の刻み幅と約定可能価格の刻み幅の積である１単位社会利益の上下限範囲未満となり、少なくとも約定量を変数に含む関数を加算した目的関数を設定する目的関数設定部を有することを特徴とする取引所システムの約定処理装置。
【請求項１８】
請求項１７において、エリア間の送電線の電力潮流は潮流上下限値以内，エリア内の約定する売り注文総量と該エリアの連系線からの流入量の和と該エリア内の約定する買い注文総量と該エリアの連系線からの流出量の和とが一致するという需給バランス，約定する各売り注文の約定量はその売り注文の注文量以下および約定する各買い注文の約定量はその買い注文の注文量以下という制約条件を考慮して、設定した目的関数を最適化することにより約定する買い注文電力量および約定する売り注文電力量および各連系線の潮流値を計算する約定処理部を有することを特徴とする電力取引の約定処理装置。
【請求項１９】
請求項１７から請求項１８において、同一価格の売り注文と買い注文が約定することにより目的関数が増加するように売買注文の注文価格を補正する注文価格補正部または、連系線潮流が潮流制約値を超過することにより混雑する連系線を特定できると同時に、潮流制約値緩和前との約定量の最大変化を約定可能電力量の刻み幅未満とするように潮流制約値を緩和する潮流上下限緩和部を有することを特徴とする電力取引の約定処理装置。
【請求項２０】
請求項１７から請求項１９において、連系線潮流が潮流制約値以上となった連系線で分断する市場を決定する分断市場決定部と流出する分断市場の最良売り注文価格が流入する分断市場の最良買い注文価格以下であるかどうかの判定部，流出する分断市場の約定最高売り注文価格が流入する分断市場の約定最高売り注文価格以下であるかどうかの判定部，流出する分断市場の約定最低買い注文価格が流入する分断市場の約定最低買い注文価格以下であるかどうかの判定部および隣接する分断市場を統合させる分断市場統合部を有することを特徴とする電力取引の約定処理方法。
【請求項２１】
請求項１７から請求項２０において、同一エリア，同一価格の売り注文を１つの注文集約し、同一エリア，同一価格の買い注文を１つの注文に集約する注文集約部と集約した注文の約定量から個別の注文の約定量に分配する分配処理部を有することを特徴とする電力取引の約定処理装置。
【請求項２２】
請求項１７から請求項２１において、目的関数に社会利益を設定する手段，目的関数に注文の約定量を用いた線形式として追加する手段，中立機関から得た連系線容量の上下限値を修正する手段，取引参加者から受け付けた注文の注文電力量を修正する手段，取引参加者から受け付けた注文の注文価格を修正する手段，取引参加者から受け付けていない注文を追加する手段、のうち少なくとも１つを備えることを特徴とする電力取引の約定処理装置。
【請求項２３】
請求項１７から請求項２２において、設定した目的関数を表示する表示手段，目的関数に追加した注文の約定量を用いた線形式を表示する表示手段，中立機関から得た連系線容量の上下限値を修正した該上下限値を表示する表示手段，取引参加者から受け付けた注文の注文電力量を修正した該電力量を表示する表示手段，取引参加者から受け付けた注文の注文価格を修正した該価格を表示する表示手段，取引参加者から受け付けていない追加した注文を表示する表示手段のうち少なくとも１つを備えることを特徴とする電力取引の約定処理装置。
【請求項２４】
請求項１７から請求項２３において、エリアの連系線からの最大流入量と最大流出量および該エリアの売買注文を考慮して、エリアの約定価格下限および約定価格上限を計算する約定価格上下限計算部と該エリアの約定価格上限以上の売り注文を約定価格上限の１つの集約した売り注文にし、該エリアの約定価格上限以上の買い注文を約定価格上限の１つの集約した買い注文とし該エリアの約定価格下限以下の買い注文を約定価格下限の１つの集約した買い注文とし、該エリアの約定価格下限以下の売り注文を約定価格下限の１つの集約した売り注文にする集約処理部を有することを特徴とする電力取引の約定処理装置。
【請求項２５】
請求項１７から請求項２４において、前記取引所システムの約定処理装置に表示装置を加えて、この表示装置でエリア毎の約定した最低の買い注文価格，エリア毎の約定しなかった最高の買い注文価格，エリア毎の約定した最高の売り注文価格，エリア毎の約定しなかった最低の売り注文価格，エリア毎の約定した買い注文の総量，エリア毎の約定した売り注文の総量，エリア毎の約定しなかった買い注文の総量，エリア毎の約定しなかった売り注文の総量，エリア毎の約定すべき買い注文価格であったが選ばれなかったため約定しなかった買い注文の総量，エリア毎の約定すべき売り注文価格であったが選ばれなかったため約定しなかった売り注文の総量，エリア間の送電線潮流上下限値，エリア間の送電線潮流，エリア毎の約定価格上下限，エリア毎の約定価格，分断市場毎の約定した最低の買い注文価格，分断市場毎の約定しなかった最高の買い注文価格，分断市場毎の約定した最高の売り注文価格，分断市場毎の約定しなかった最低の売り注文価格，分断市場毎の約定した買い注文の総量，分断市場毎の約定した売り注文の総量，分断市場毎の約定しなかった買い注文の総量，分断市場毎の約定しなかった売り注文の総量，分断市場毎の約定すべき買い注文価格であったが選ばれなかったため約定しなかった買い注文の総量，分断市場毎の約定すべき売り注文価格であったが選ばれなかったため約定しなかった売り注文の総量，分断市場の送電線潮流上下限値，分断市場間の送電線潮流，分断市場毎の約定価格上下限，分断市場毎の約定価格，市場分断個所のうち少なくとも一つを表示することを特徴とする電力取引の約定処理装置。